(57)【特許請求の範囲】
【請求項１】
第１端子と、
第１周波数帯域の信号を通過させるとともに第２周波数帯域の信号を通過させないように構成された第１フィルタと、
前記第１端子と前記第１フィルタとの間の導通および非導通を切り替えるように構成された第１スイッチと、
前記第２周波数帯域に含まれる第３周波数帯域の信号を通過させるように構成された第２フィルタと、
前記第１端子と前記第２フィルタとの間の導通および非導通を切り替えるように構成された第２スイッチとを備え、
前記第２周波数帯域の信号に対する前記第１フィルタのインピーダンスは、容量性であり、
前記第１スイッチが非導通である場合、前記第１スイッチのインピーダンスは容量性であり、前記第１スイッチの前記第１フィルタと接続されている端部から前記第１フィルタを見たときのインピーダンスはショート状態とならず、前記第１端子から前記第１フィルタを見たときのインピーダンスはオープン状態となる、スイッチモジュール。
【請求項２】
第３フィルタと、
前記第１端子と前記第３フィルタとの間の導通および非導通を切り替えるように構成された第３スイッチと、
接地点と、前記第２スイッチおよび前記第２フィルタの間の第１接続点との間の導通および非導通を切り替えるように構成された第４スイッチと、
前記接地点と、前記第３スイッチおよび前記第３フィルタの間の第２接続点と間の導通および非導通を切り替えるように構成された第５スイッチとをさらに備え、
前記第３フィルタは、前記第３周波数帯域と重複している第４周波数帯域の信号を通過させるように構成され、
前記第４スイッチは、前記第２スイッチが非導通である場合、前記第３周波数帯域および前記第４周波数帯域の両方に含まれる周波数の信号に対して導通とされるように構成され、
前記第５スイッチは、前記第３スイッチが非導通である場合、前記信号に対して導通とされるように構成される、請求項１に記載のスイッチモジュール。
【請求項３】
前記第１スイッチと前記第１フィルタとの間の接続経路は、接地点に接続されていない、請求項１または２に記載のスイッチモジュール。
【請求項４】
接地点と、前記第１スイッチおよび前記第１フィルタの間の第３接続点との間の導通および非導通を切り替えるように構成された第６スイッチをさらに備え、
前記第６スイッチは、前記第１スイッチが導通である場合も非導通である場合も非導通であるように構成される、請求項１または２に記載のスイッチモジュール。
【請求項５】
前記第１フィルタおよび前記第２フィルタの各々は、弾性表面波フィルタである、請求項１に記載のスイッチモジュール。
【請求項６】
第２端子と、
前記第２端子と前記第１フィルタとの間の導通および非導通を切り替えるように構成された第７スイッチと、
前記第２端子と前記第２フィルタとの間の導通および非導通を切り替えるように構成された第８スイッチとをさらに備え、
前記第１フィルタは、前記第１スイッチと前記第７スイッチとの間に接続され、
前記第２フィルタは、前記第２スイッチと前記第８スイッチとの間に接続され、
前記第７スイッチが非導通である場合、前記第７スイッチのインピーダンスは容量性であり、前記第７スイッチの前記第１フィルタに接続された端部から前記第１フィルタを見たときのインピーダンスはショート状態とならず、前記第２端子から前記第１フィルタを見たときのインピーダンスはオープン状態となる、請求項１に記載のスイッチモジュール。
【請求項７】
前記第３周波数帯域と重複している第４周波数帯域の信号を通過させるように構成され第３フィルタと、
前記第１端子と前記第３フィルタとの間の導通および非導通を切り替えるように構成された第３スイッチと、
接地点と、前記第２スイッチおよび前記第２フィルタの間の第１接続点との間の導通および非導通を切り替えるように構成された第４スイッチと、
前記接地点と、前記第３スイッチおよび前記第３フィルタの間の第２接続点との間の導通および非導通を切り替えるように構成された第５スイッチと、
前記第２端子と前記第３フィルタとの間の導通および非導通を切り替えるように構成された第９スイッチと、
前記接地点と、前記第８スイッチおよび前記第２フィルタの間の第４接続点との間の導通および非導通を切り替えるように構成された第１０スイッチと、
前記接地点と、前記第９スイッチおよび前記第３フィルタの間の第５接続点との間の導通および非導通を切り替えるように構成された第１１スイッチとをさらに備え、
前記第３フィルタは、前記第３スイッチと前記第９スイッチとの間に接続され、
前記第４スイッチは、前記第２スイッチが非導通である場合、前記第３周波数帯域および前記第４周波数帯域の両方に含まれる周波数の信号に対して導通とされるように構成され、
前記第５スイッチは、前記第３スイッチが非導通である場合、前記信号に対して導通とされるように構成され、
前記第１０スイッチは、前記第８スイッチが非導通である場合、前記信号に対して導通とされるように構成され、
前記第１１スイッチは、前記第９スイッチが非導通である場合、前記信号に対して導通とされるように構成される、請求項６に記載のスイッチモジュール。
【請求項８】
前記第７スイッチと前記第１フィルタとの間の接続経路は、接地点に接続されていない、請求項６または７に記載のスイッチモジュール。
【請求項９】
接地点と、前記第７スイッチおよび前記第１フィルタの間の第６接続点との間の導通および非導通を切り替えるように構成された第１２スイッチをさらに備え、
前記第１２スイッチは、前記第７スイッチが導通である場合も非導通である場合も非導通であるように構成される、請求項６または７に記載のスイッチモジュール。
【発明の詳細な説明】
【技術分野】
【０００１】
この発明は、周波数帯域によって信号経路を切り替えるスイッチモジュールに関する。
【背景技術】
【０００２】
従来から、複数の周波数帯域によって送受信を行なう電子機器が知られている。このような電子機器においては、送受信において使用される周波数帯域毎に信号経路を切り替えるスイッチモジュールが使用される場合がある。このようなスイッチモジュールにおいて、ある周波数帯域の信号が目的の出力端子以外の端子から漏れると出力端子以外の端子に接続されている装置、あるいは回路の誤作動の原因となる。そのため、そのようなスイッチモジュールの性能を向上させるためには、端子間の分離の程度の指標であるアイソレーション特性を高める必要があることが知られている。
【０００３】
たとえば、特開２００４−１４０６９６号公報（特許文献１）には、複数の受信出力端子と送信入力端子とを切り替えるＳＰｎＴ（Single  Pole  n-Throw：単極多投）型の高周波スイッチ回路が開示されている。この高周波スイッチ回路においては、受信出力端子と受信回路との間に高周波信号をオン／オフするためのスイッチを設け、送信回路からの送信信号を入力する時にこのスイッチはオフ状態とされる。このような構成により、送信信号の受信回路への漏洩量を低減し、高周波スイッチ回路のアイソレーション特性を向上させることができる。
【先行技術文献】
【特許文献】
【０００４】
【特許文献１】特開２００４−１４０６９６号公報
【特許文献２】特開２０１４−９３６１０号公報
【発明の概要】
【発明が解決しようとする課題】
【０００５】
スイッチをオフ状態とすることにより信号の漏洩を防止する場合、より確実に信号の漏洩を防止するために、信号経路と接地点との間にシャント接続スイッチを設ける場合が多い。たとえば、特開２０１４−９３６１０号公報（特許文献２）には、信号経路と接地点とを接続するシャント接続スイッチを備える高周波スイッチ回路が開示されている。当該高周波スイッチ回路においては、シャント接続スイッチを導通させて入力インピーダンスをほとんど０としてインピーダンス不整合を生じさせることにより、当該高周波スイッチに接続される回路のインピーダンスの影響をなくすことができる。特開２０１４−９３６１０号公報（特許文献２）には、ＳＰｎＴ型のスイッチモジュールにおいてシャント接続スイッチが共通端子Ｐ１から他の入出力端子Ｐ２〜Ｐ７までの信号経路の途中に設けられている高周波スイッチ回路が開示されている。
【０００６】
図１４は、特開２０１４−９３６１０号公報（特許文献２）の図１３に示されている回路図である。図１４に示されるように、共通端子Ｐ１と、共通端子Ｐ１と導通している入出力端子Ｐ６との間に接続されているシャント接続スイッチは非導通となっている。一方、共通端子Ｐ１と、共通端子Ｐ１との接続が非導通である他の入出力端子との間に接続されているシャント接続スイッチは導通している。共通端子Ｐ１と入出力端子Ｐ６との間を所定の周波数帯域の信号が通過する場合、ＯＦＦポートの信号経路に設けられているシリーズ接続スイッチが非導通となるとともにシャント接続スイッチが導通することにより、共通端子Ｐ１からＯＦＦポートの各入出力端子を見たときのインピーダンスが各入出力端子に接続される素子の特性インピーダンスの影響を受けないようにすることができる。すなわち、共通端子Ｐ１から各入出力端子を見たときのインピーダンスは、非導通であるシャント接続スイッチの効果により接続される素子の特性インピーダンスの影響をうけず、シリーズ接続スイッチのＯＦＦ時の容量によって決定される。
【０００７】
特開２０１４−９３６１０号公報（特許文献２）に開示されているスイッチモジュールのように、共通端子Ｐ１から各入出力端子までの信号経路にシャント接続スイッチが設けられている場合、或るシリーズ接続スイッチが導通しているときの挿入損失を改善する方法として、非導通である他のシリーズ接続スイッチの容量値を小さくし、当該容量を介した漏洩電力を低減する方法を挙げることができる。しかし、非導通である（ＯＦＦ時）シリーズ接続スイッチの容量値を小さくすると、当該シリーズ接続スイッチが導通している（ＯＮ時）ときの抵抗値が大きくなり、当該シリーズ接続スイッチが導通している場合の挿入損失が大きくなってしまう。非導通時のシリーズ接続スイッチの容量値および導通時のシリーズ接続スイッチの抵抗値はトレードオフの関係にあり、両者をスイッチモジュール全体としての挿入損失が低減するような適切な値にすることは困難であった。そのため、従来、シャント接続スイッチを備えるスイッチモジュールの挿入損失を低減することは困難であった。
【０００８】
本発明は上記のような課題を解決するためになされたものであり、その目的は、スイッチモジュールの挿入損失を低減することである。
【課題を解決するための手段】
【０００９】
本発明の一実施形態によるスイッチモジュールは、第１端子と、第１フィルタと、第１スイッチと、第２フィルタと、第２スイッチとを備える。第１フィルタは、第１周波数帯域の信号を通過させるとともに第２周波数帯域の信号を通過させないように構成されている。第１スイッチは、第１端子と第１フィルタとの間の導通および非導通を切り替えるように構成されている。第２フィルタは、第２周波数帯域に含まれる第３周波数帯域の信号を通過させるように構成されている。第２スイッチは、第１端子と第２フィルタとの間の導通および非導通を切り替えるように構成されている。第２周波数帯域の信号に対する第１フィルタのインピーダンスは、容量性である。第１スイッチが非導通である場合、第１スイッチのインピーダンスは容量性であり、第１スイッチの第１フィルタと接続されている端部から第１フィルタを見たときのインピーダンスはショート状態とならず、第１端子から第１フィルタを見たときのインピーダンスはオープン状態となる。
【００１０】
ショート状態とは、インピーダンスが０と同視できるほど小さい状態である。オープン状態とは、インピーダンスが無限大と同視できるほど大きい状態である。
【発明の効果】
【００１１】
本発明に係るスイッチモジュールによれば、第１スイッチの第１フィルタと接続されている端部から第１フィルタを見たときのインピーダンスをショート状態としないことにより、スイッチモジュールの挿入損失を低減することができる。
【図面の簡単な説明】
【００１２】
【図１】実施の形態１に係るスイッチモジュールの回路図である。
【図２】比較例１に係るスイッチモジュールの回路図である。
【図３】図２に示されるスイッチモジュールの等価回路（ａ）および共通端子から入出力端子までの信号経路のインピーダンスの変化を示すスミスチャート（ｂ）を併せて示す図である。
【図４】図１に示されるスイッチモジュールの等価回路（ａ）および共通端子から入出力端子までの信号経路のインピーダンスの変化を示すスミスチャート（ｂ）を併せて示す図である。
【図５】実施の形態１のＳＡＷフィルタのインピーダンスの変化のシミュレーション結果を示すスミスチャート（ａ）および比較例２のフィルタのインピーダンスの変化のシミュレーション結果を示すスミスチャート（ｂ）である。
【図６】比較例２に係るスイッチモジュールの等価回路（ａ）および共通端子から入出力端子までの信号経路のインピーダンスの変化を示すスミスチャート（ｂ）を併せて示す図である。
【図７】実施の形態１、比較例１、および比較例２のそれぞれに係るスイッチモジュールの挿入損失を示すグラフを併せて示す図である。
【図８】実施の形態１の変形例１に係るスイッチモジュールの回路図である。
【図９】実施の形態１の変形例２に係るスイッチモジュールの回路図である。
【図１０】実施の形態２に係るスイッチモジュールの回路図である。
【図１１】実施の形態２の変形例１に係るスイッチモジュールの回路図である。
【図１２】実施の形態２の変形例２に係るスイッチモジュールの回路図である。
【図１３】実施の形態３に係るスイッチモジュールの回路図である。
【図１４】特開２０１４−９３６１０号公報（特許文献２）の図１３に示されている回路図である。
【発明を実施するための形態】
【００１３】
以下、本発明の実施の形態について、図面を参照しながら詳細に説明する。なお、図中同一または相当部分には同一符号を付してその説明は繰り返さない。
【００１４】
［実施の形態１］
図１は、実施の形態１に係るスイッチモジュール１の回路図である。図１に示されるように、スイッチモジュール１は、共通端子Ｐ１と、入出力端子Ｐ２，Ｐ３と、弾性表面波（ＳＡＷ：Surface  Acoustic  Wave）フィルタである第１フィルタＳＡＷ１と、第１スイッチＳＷ１と、弾性表面波フィルタである第２フィルタＳＡＷ２と、第２スイッチＳＷ２とを備える。第２フィルタＳＡＷ２の通過帯域は第１フィルタＳＡＷ１の非通過帯域に含まれる。スイッチモジュール１はＳＰＤＴ（Single  Pole  Double  Throw：単極双投）型のスイッチモジュールである。スイッチモジュール１はＳＰｎＴ型（ｎが３以上）のスイッチモジュールであってもよい。
【００１５】
共通端子Ｐ１は本発明の第１端子に対応する。第１フィルタＳＡＷ１の通過帯域および非通過帯域は、本発明の第１周波数帯域および第２周波数帯域にそれぞれ対応する。第２フィルタＳＡＷ２の通過帯域は本発明の第３周波数帯域に対応する。第１フィルタＳＡＷ１の通過帯域および第２フィルタＳＡＷ２の通過帯域は重複していない。
【００１６】
共通端子Ｐ１から入出力端子Ｐ２までの経路には、第１スイッチＳＷ１と第１フィルタＳＡＷ１とがこの順に接続されている。第１スイッチＳＷ１は共通端子Ｐ１と第１フィルタＳＡＷ１との間の導通および非導通を切り替えるように構成されている。
【００１７】
共通端子Ｐ１から入出力端子Ｐ３までの経路には、第２スイッチＳＷ２と第２フィルタＳＡＷ２とがこの順に接続されている。第２スイッチＳＷ２は共通端子Ｐ１と第２フィルタＳＡＷ２との間の導通および非導通を切り替えるように構成されている。
【００１８】
第１スイッチＳＷ１および第２スイッチＳＷ２はたとえば電界効果トランジスタ（ＦＥＴ：Field  Effect  Transistor）を含む。また、第１スイッチＳＷ１および第２スイッチＳＷ２は不図示の制御部によって導通および非導通が切り替えられる。以下で説明するスイッチについても同様である。
【００１９】
第１フィルタＳＡＷ１の非通過帯域の信号に対するインピーダンスは容量性である。第２フィルタＳＡＷ２の非通過帯域の信号に対するインピーダンスは容量性である。以下で説明するＳＡＷフィルタについても同様である。
【００２０】
図１においては、第１スイッチＳＷ１が非導通であり、第２スイッチＳＷ２が導通である。第１スイッチＳＷ１および第２スイッチＳＷ２がこのような状態となるのは、たとえば共通端子Ｐ１がアンテナに接続されており、当該アンテナかから受信した信号のうち第２フィルタＳＡＷ２の通過帯域に属する信号を入出力端子Ｐ３から出力するような場合である。
【００２１】
図２は、比較例１に係るスイッチモジュール１００の回路図である。スイッチモジュール１００とスイッチモジュール１との違いは、シャント接続スイッチとして第４スイッチＳＷ４および第６スイッチＳＷ６を備える点である。それ以外の構成についてはスイッチモジュール１と同様であるため説明を繰り返さない。
【００２２】
第４スイッチＳＷ４は、接地点と、第２スイッチＳＷ２および第２フィルタＳＡＷ２の間の第１接続点Ｃ１との間の導通および非導通を切り替えるように構成されている。第４スイッチＳＷ４は、第２スイッチＳＷ２が導通している場合には非導通とされ、第２スイッチＳＷ２が非導通である場合には導通とされるように構成されている。図２においては第２スイッチＳＷ２が導通しているため第４スイッチＳＷ４は非導通となっている。
【００２３】
図２に示す第６スイッチＳＷ６は、接地点と、第１スイッチＳＷ１および第１フィルタＳＡＷ１の間の第３接続点Ｃ３との間の導通および非導通を切り替えるように構成されている。第６スイッチＳＷ６は、第１スイッチＳＷ１が導通している場合には非導通とされ、第１スイッチＳＷ１が非導通である場合には導通とされるように構成されている。図２においては第１スイッチＳＷ１が非導通であるため第６スイッチＳＷ６は導通している。
【００２４】
共通端子Ｐ１と入出力端子Ｐ３との間を第２フィルタＳＡＷ２の通過帯域の信号ＭＳ１が通過する場合、第１スイッチＳＷ１が非導通状態としても、信号ＭＳ１の一部が信号ＬＳ１として、第１スイッチＳＷ１に漏洩する。そのとき、第６スイッチＳＷ６が無い場合、第１スイッチＳＷ１（非導通）が、理想的なオープン状態ではなく、容量として見えるため、第１フィルタＳＡＷ１のインピーダンスの影響を受けてしまう。第１フィルタＳＡＷ１のインピーダンスの影響を受けないために、第３接続点Ｃ３に接地点と導通、非導通を切り替える第６スイッチＳＷ６を配置し、第１スイッチＳＷ１を非導通時に第６スイッチＳＷ６を導通することで、第３接続点Ｃ３から見たインピーダンスは、ショート状態となり、第１フィルタＳＡＷ１のインピーダンスの影響を受けないようにすることができる。すなわち、共通端子Ｐ１から入出力端子Ｐ２を見たときのインピーダンスは、非導通である第１スイッチＳＷ１の特性インピーダンスによって決定される。
【００２５】
第２スイッチＳＷ２の導通時の挿入損失を低減する方法として、非導通時の第１スイッチＳＷ１の容量を小さくし、当該容量を介した漏洩電力を低減する方法を挙げることができる。非導通時の第１スイッチＳＷ１の容量を小さくするには、第１スイッチＳＷ１に使用するトランジスタのサイズ（例えば電界効果トランジスタのゲート幅）を小さくする必要がある。しかし、トランジスタのサイズを小さくすると、導通時の第１スイッチＳＷ１の抵抗が大きくなり、第１スイッチＳＷ１が導通している場合の挿入損失が大きくなってしまう。非導通時の第１スイッチＳＷ１の容量値および導通時の第１スイッチＳＷ１の抵抗値はトレードオフの関係にある。
【００２６】
そこで実施の形態１においては非導通であるシリーズ接続スイッチのインピーダンスおよび非通過帯域の信号に対するＳＡＷフィルタのインピーダンスのいずれもが容量性（インピーダンスの虚数成分が負）であることに着目し、共通端子Ｐ１から第１フィルタＳＡＷ１を見たときのインピーダンスが、非導通である第１スイッチＳＷ１のインピーダンスおよび非通過帯域の信号に対する第１フィルタＳＡＷ１のインピーダンスの合成となるように、シャント接続スイッチを備えないこととした。このような構成により、共通端子Ｐ１から第１フィルタＳＡＷ１を見たときのインピーダンスをオープン状態とすることができる。
【００２７】
再び図１を参照して、第１スイッチＳＷ１が非導通である場合、第１スイッチＳＷ１のインピーダンスは容量性であり、第１スイッチＳＷ１の第１フィルタＳＡＷ１に接続されている端部から見たときのインピーダンスはショート状態とならず、共通端子Ｐ１から第１フィルタＳＡＷ１を見たときのインピーダンスはオープン状態となる。このような構成により、共通端子Ｐ１からスイッチが非導通である入出力端子までの信号経路のインピーダンスはショート状態とならずにオープン状態となる。
【００２８】
スイッチが非導通である信号経路への信号の漏れは、当該信号経路のインピーダンスがオープン状態に近づくほど小さくなる。シャント接続スイッチを備えなくても、信号経路のインピーダンスをオープン状態に近づけることにより、当該信号経路に接続されている端子からの信号の漏れを防止し、挿入損失を改善することができる。
【００２９】
実施の形態１によれば、スイッチモジュール１の挿入損失を低減することができる。
以下では、実施の形態１に係るスイッチモジュール１のインピーダンスが比較例１に係るスイッチモジュール１００のインピーダンスとどのように異なるかを説明するために、まず図３を用いて比較例１に係るスイッチモジュール１００のインピーダンスについて説明し、その後に図４を用いて実施の形態１に係るスイッチモジュール１のインピーダンスについて説明する。
【００３０】
図３は、図２に示されるスイッチモジュール１００の等価回路（ａ）および共通端子Ｐ１から入出力端子Ｐ２までの信号経路のインピーダンスの変化を示すスミスチャート（ｂ）を併せて示す図である。図２に示されるスイッチモジュール１００の等価回路が図３（ａ）のように示される理由は以下の通りである。
【００３１】
電界効果トランジスタを含む非導通であるスイッチは、ある程度の電荷を蓄えるためコンデンサと考えることができる。電界効果トランジスタを含む非導通であるスイッチのインピーダンスはコンデンサと同様に容量性となる。電界効果トランジスタを含む導通であるスイッチは微小な抵抗と考えることができる。
【００３２】
以上から、図２において非導通である第１スイッチＳＷ１および第４スイッチＳＷ４は図３（ａ）においてはそれぞれコンデンサとして表されている。図２において導通している第２スイッチＳＷ２および第６スイッチＳＷ６は図３（ａ）においてはそれぞれ抵抗として表されている。
【００３３】
また、ＳＡＷフィルタは櫛形状のＩＤＴ(Interdigital Transducer)電極を含む。ＩＤＴ電極の櫛歯がコンデンサ電極の役割を果たすため、非通過帯域の信号に対するＳＡＷフィルタの特性インピーダンスは容量性である。一方、通過帯域の信号に対するＳＡＷフィルタの特性インピーダンスはたとえば５０Ωに整合される。
【００３４】
図３（ｂ）において、点ＺＯはインピーダンスが無限大（オープン）である点を表し、点ＺＳはインピーダンスが０（ショート）である点を表す。図３（ｂ）に示されるように、第３接続点Ｃ３と第１フィルタＳＡＷ１とを結ぶ観測点Ｏｂ１０から第１フィルタＳＡＷ１を見たときのインピーダンスＺ１０は、第１フィルタＳＡＷ１の非通過帯域の信号に対するインピーダンスとなるため容量性となっている。第１スイッチＳＷ１の第１フィルタＳＡＷ１と接続されている端部から第１フィルタＳＡＷ１を見たときのインピーダンスＺ２１は、接地点と第３接続点Ｃ３とを接続する第６スイッチＳＷ６によって点ＺＳに近いショート状態となっている。共通端子Ｐ１から第１フィルタＳＡＷ１を見たときのインピーダンスＺ３１は、インピーダンスＺ２１がショート状態となっているため、第１フィルタＳＡＷ１のインピーダンスＺ１０の影響を受けない。すなわち、インピーダンスＺ３１は、非導通の第１スイッチＳＷ１のインピーダンスとなるため容量性となり、無限大（オープン状態）に近づくことにより、入出力端子Ｐ２のインピーダンスが見えにくくなる。
【００３５】
次に実施の形態１に係るスイッチモジュール１のインピーダンスについて説明する。図４は、図１に示されるスイッチモジュール１の等価回路（ａ）および共通端子Ｐ１から入出力端子Ｐ２までの信号経路のインピーダンスの変化を示すスミスチャート（ｂ）を併せて示す図である。図４（ｂ）に示されるように、観測点Ｏｂ１０から第１フィルタＳＡＷ１を見たときのインピーダンスＺ１０は比較例１と同様である。第１スイッチＳＷ１の第１フィルタＳＡＷ１に接続されている端部から第１フィルタＳＡＷ１を見たときのインピーダンスＺ２０は、シャント接続スイッチによってショート状態とされないため、容量性であるインピーダンスＺ１０が維持される。共通端子Ｐ１から第１フィルタＳＡＷ１を見たときのインピーダンスＺ３０は、第１フィルタＳＡＷ１の非通過帯域の信号に対する容量性のインピーダンスＺ１０および非導通の第１スイッチＳＷ１の容量性のインピーダンスが合成されたインピーダンスとなるため、比較例１よりも点ＺＯに近づきオープン状態となっている。インピーダンスＺ３０がオープン状態である場合、共通端子Ｐ１と入出力端子Ｐ２とは接続されていないものとみなすことができる。
【００３６】
実施の形態１に係るスイッチモジュール１においては、信号経路と接地点とを接続するシャント接続スイッチが備えられていないため、共通端子Ｐ１から入出力端子Ｐ２までの間でインピーダンスがショート状態とされることがない。そのため、共通端子Ｐ１から入出力端子Ｐ２を見たときのインピーダンスは、非導通の第１スイッチＳＷ１のインピーダンスおよび第１フィルタＳＡＷ１の非通過帯域の信号に対するインピーダンスという複数の容量性のインピーダンスが合成されたインピーダンスとなる。その結果、当該インピーダンスは比較例１の場合よりも点ＺＯに近づく。なお、図３および図４おいては共通端子Ｐ１から入出力端子Ｐ２を見た場合のインピーダンスの変化の比較を行なったが、入出力端子Ｐ２から共通端子Ｐ１を見た場合のインピーダンスの変化の比較においても同様に、入出力端子Ｐ２から共通端子Ｐ１までの間のインピーダンスは実施の形態１の方が比較例１より点ＺＯに近づく。
【００３７】
次に、図５および図６を用いてフィルタのインピーダンスが誘導性（インピーダンスの虚数成分が正）である比較例２について説明し、その後に図７を用いて実施の形態１、比較例１、および比較例２の挿入損失の比較を行なう。実施の形態１と比較例２との違いは、フィルタが誘導性であるという点である。それ以外については同様であるため説明を繰り返さない。
【００３８】
図５は、実施の形態１のＳＡＷフィルタのインピーダンスの変化のシミュレーション結果を示すスミスチャート（ａ）および比較例２のフィルタのインピーダンスの変化のシミュレーション結果を示すスミスチャート（ｂ）である。図５（ａ）において、インピーダンスの変化を示す曲線Ｓ１のうち、領域ＰＢに含まれる部分は通過帯域の信号に対するインピーダンスを示す。曲線Ｓ１の領域ＮＰＢ１に含まれる部分は非通過帯域の信号に対するインピーダンスを示す。領域ＰＢおよび領域ＮＰＢ１のいずれにも含まれない曲線Ｓ１の部分は遷移領域の信号に対するインピーダンスを示す。図５（ａ）に示されるように、実施の形態１におけるＳＡＷフィルタのインピーダンスは非通過帯域の信号に対して虚数成分が負である領域ＮＰＢ１の中を変化しており、容量性となっている。
【００３９】
一方、図５（ｂ）に示されるように、比較例２におけるフィルタのインピーダンスは、非通過帯域の信号に対して虚数成分が正である領域ＮＰＢ２の中を変化しており、誘導性となっている。
【００４０】
図６は、比較例２に係るスイッチモジュール２００の等価回路（ａ）および共通端子Ｐ１から入出力端子Ｐ２までの信号経路のインピーダンスの変化を示すスミスチャート（ｂ）を併せて示す図である。実施の形態１と比較例２との違いはフィルタの非通過帯域の信号に対するインピーダンスが誘導性であるという点である。それ以外の点については同様であるため説明を繰り返さない。
【００４１】
図６（ａ）に示されるように、スイッチモジュール２００は、第１フィルタＦＬＴ１および第２フィルタＦＬＴ２を備える。第１フィルタＦＬＴ１の非通過帯域の信号に対するインピーダンスは誘導性である。第２フィルタＦＬＴ２についても同様である。
【００４２】
図６（ｂ）に示されるように、観測点Ｏｂ１０から第１フィルタＦＬＴ１を見たときのインピーダンスＺ１２は、第１フィルタＦＬＴ１の非通過帯域の信号に対するインピーダンスであるから誘導性となっている。第１スイッチＳＷ１の第１フィルタＦＬＴ１に接続されている端部から第１フィルタＦＬＴ１を見たときのインピーダンスＺ２２は、シャント接続スイッチによってショート状態とされないため、誘導性であるインピーダンスＺ１２が維持される。共通端子Ｐ１から第１フィルタＦＬＴ１を見たときのインピーダンスＺ３２は、第１フィルタＦＬＴ１の非通過帯域の信号に対する誘導性のインピーダンスＺ１２および非導通の第１スイッチＳＷ１の容量性のインピーダンスが合成されたインピーダンスとなる。
【００４３】
誘導性のインピーダンスＺ１２に非導通の第１スイッチＳＷ１の容量性のインピーダンスを合成すると、第１フィルタＦＬＴ１のインピーダンスＺ１２はスミスチャート上で点ＺＳの方に向かって点ＺＯに近づいていく。比較例１においては、点ＺＯに近いショート状態にあるインピーダンスに非導通の第１スイッチＳＷ１の容量性のインピーダンスが合成されてインピーダンスが点ＺＯに近づいていく。実施の形態１においては、第１フィルタＳＡＷ１の非通過帯域の容量性のインピーダンスに非導通の第１スイッチＳＷ１の容量性のインピーダンスが合成されてインピーダンスが点ＺＯに近づいていく。そのため、比較例１および実施の形態１と比較すると、比較例２における合成後のインピーダンスは、比較例１および実施の形態１ほど点ＺＯに近づけない。その結果、比較例２における挿入損失は比較例１および実施の形態１における挿入損失よりも大きくなる。
【００４４】
図７は、実施の形態１、比較例１、および比較例２のそれぞれに係るスイッチモジュールの挿入損失を示すグラフを併せて示す図である。図７においては、図１の第１フィルタＳＡＷ１の非通過帯域および第２フィルタＳＡＷ２の通過帯域がいずれも９２５〜９６０ＭＨｚであるとする。曲線Ｅ１、Ｅ１０、およびＥ２０はそれぞれ実施の形態１、比較例１、および比較例２に係るスイッチモジュールの挿入損失を示すグラフである。なお、図７において、挿入損失は負の値と示されており絶対値が大きいほど入力から出力に至るまでの信号の減少量は大きい。以下では、挿入損失の大小についてはその絶対値に関する大小を意味するものとする。すなわち、図７において或るグラフが他のグラフを上回っている場合、前者の方が絶対値が小さいため挿入損失が小さい。
【００４５】
図７に示されるように、周波数帯域９２５〜９６０ＭＨｚにおいて、実施の形態１に係るスイッチモジュール１の挿入損失は、比較例１および比較例２それぞれの挿入損失よりも小さい。
【００４６】
以上、実施の形態１に係るスイッチモジュール１によれば、シャント接続スイッチを備えないことにより、共通端子Ｐ１からスイッチが非導通である入出力端子までの信号経路のインピーダンスは、ショート状態とならず、容量性のインピーダンスの合成によりオープン状態となる。その結果、スイッチモジュール１の挿入損失を低減することができる。
【００４７】
［実施の形態１の変形例１］
スイッチモジュール１においては、第１フィルタＳＡＷ１の通過帯域および第２フィルタＳＡＷ２の通過帯域が重複しておらず、スイッチモジュール１はシャント接続スイッチを備えていない。しかし、スイッチモジュールに含まれる２つのフィルタの通過帯域が重複している場合、シャント接続スイッチが必要になる。実施の形態１の変形例１においては、シャント接続スイッチが必要になる場合について説明する。実施の形態１の変形例１において実施の形態１と同じ参照符号が付されている構成については同様の構成であるため説明を繰り返さない。
【００４８】
図８は、実施の形態１の変形例１に係るスイッチモジュール１Ａの回路図である。図８に示されるように、スイッチモジュール１Ａは、入出力端子Ｐ４と、第３スイッチＳＷ３と、弾性表面波フィルタである第３フィルタＳＡＷ３と、シャント接続スイッチである第４スイッチＳＷ４および第５スイッチＳＷ５とを備える。スイッチモジュール１ＡはＳＰ３Ｔ型のスイッチモジュールである。スイッチモジュール１ＡはＳＰｎＴ型（ｎが４以上）のスイッチモジュールであってもよい。
【００４９】
第３フィルタＳＡＷ３の通過帯域は、本発明の第４周波数帯域に対応する。第２フィルタＳＡＷ２の通過帯域および第３フィルタＳＡＷ３の通過帯域は重複している。第１フィルタＳＡＷ１の通過帯域および第３フィルタＳＡＷ３の通過帯域は重複していない。
【００５０】
共通端子Ｐ１から入出力端子Ｐ４までの経路には、第３スイッチＳＷ３と第３フィルタＳＡＷ３とがこの順に接続されている。第３スイッチＳＷ３は共通端子Ｐ１と第３フィルタＳＡＷ３との間の導通および非導通を切り替えるように構成されている。
【００５１】
第４スイッチＳＷ４は、接地点と、第２スイッチＳＷ２および第２フィルタＳＡＷ２の間の第１接続点Ｃ１との間の導通および非導通を切り替えるように構成されている。第４スイッチＳＷ４は、第２スイッチＳＷ２が非導通である場合、第２フィルタＳＡＷ２の通過帯域および第３フィルタＳＡＷ３の通過帯域の両方に含まれる周波数の信号に対して導通とされるように構成されている。
【００５２】
第５スイッチＳＷ５は、接地点と、第３スイッチＳＷ３および第３フィルタＳＡＷ３の間の第２接続点Ｃ２との間の導通および非導通を切り替えるように構成されている。第５スイッチＳＷ５は第３スイッチＳＷ３が非導通である場合、第２フィルタＳＡＷ２の通過帯域および第３フィルタＳＡＷ３の通過帯域の両方に含まれる周波数の信号に対して導通とされるように構成されている。
【００５３】
図８において、第１スイッチＳＷ１は非導通である。第２スイッチＳＷ２は導通し、第４スイッチＳＷ４は非導通である。第３スイッチは非導通であり、第５スイッチＳＷ５は導通している。第１スイッチＳＷ１〜第５スイッチＳＷ５がこのような状態となるのは、たとえば共通端子Ｐ１がアンテナに接続されており、入出力端子Ｐ３から入力された、第２フィルタＳＡＷ２の通過帯域および第３フィルタＳＡＷ３の通過帯域のいずれにも含まれる周波数の信号ＭＳ２を当該アンテナから送信する場合である。
【００５４】
信号ＭＳ２から漏れた信号ＬＳ２は入出力端子Ｐ４への信号経路に回り込む場合がある。この場合、信号ＬＳ２は第３フィルタＳＡＷ３の通過帯域の信号であるため、第３フィルタＳＡＷ３に到達した信号は第３フィルタＳＡＷ３を通過してしまい入出力端子Ｐ４から出力されてしまう可能性がある。
【００５５】
そこで実施の形態１の変形例１において信号ＬＳ２のほとんどは、第３フィルタＳＡＷ３に到達する前に、シャント接続スイッチである第５スイッチＳＷ５が導通することにより、ＳＡＷ３のインピーダンスの影響を受けなくすることができる。そのため、信号ＭＳ２から漏洩した信号が入出力端子Ｐ４から出力され難くなる。その結果、スイッチモジュール１Ａによれば、複数のフィルタの通過帯域に属する信号に対してもアイソレーション特性を維持することができる。
【００５６】
以上、実施の形態１の変形例１によれば、スイッチモジュール１Ａの挿入損失を低減することができるとともに、複数のフィルタの通過帯域に属する信号に対してもアイソレーション特性を維持することができる。
【００５７】
［実施の形態１の変形例２］
実施の形態１、および変形例１においては、スイッチモジュールに共通端子Ｐ１と、ＳＡＷフィルタ毎に接続された入出力端子とが備えられている場合について説明した。複数の入出力端子は１つの共通端子にまとめることができる。実施の形態１の変形例２においては、スイッチモジュールが２つの共通端子を備える場合について説明する。実施の形態１の変形例２において、各ＳＡＷフィルタと共通端子Ｐ１との間の構成は実施の形態１の変形例１と同様であるため説明を繰り返さない。
【００５８】
図９は、実施の形態１の変形例２に係るスイッチモジュール１Ｂの回路図である。図９に示されるように、スイッチモジュール１Ｂは、共通端子Ｐ２Ｂ（第２端子）と、第７スイッチＳＷ７と、第８スイッチＳＷ８と、第９スイッチＳＷ９と、シャント接続スイッチである第１０スイッチＳＷ１０および第１１スイッチＳＷ１１とを備える。
【００５９】
第７スイッチＳＷ７は共通端子Ｐ２Ｂと第１フィルタＳＡＷ１との間の導通および非導通を切り替えるように構成されている。第８スイッチＳＷ８は共通端子Ｐ２Ｂと第２フィルタＳＡＷ２との間の導通および非導通を切り替えるように構成されている。第９スイッチＳＷ９は共通端子Ｐ２Ｂと第３フィルタＳＡＷ３との間の導通および非導通を切り替えるように構成されている。第１フィルタＳＡＷ１は、第１スイッチＳＷ１と第７スイッチＳＷ７との間に接続されている。第２フィルタＳＡＷ２は、第２スイッチＳＷ２と第８スイッチＳＷ８との間に接続されている。第３フィルタＳＡＷ３は、第３スイッチＳＷ３と第９スイッチＳＷ９との間に接続されている。
【００６０】
第７スイッチＳＷ７が非導通である場合、第７スイッチＳＷ７のインピーダンスは容量性である。第７スイッチの第１フィルタＳＡＷ１と接続された端部から第１フィルタＳＡＷ１を見たインピーダンスはショート状態とならず、共通端子Ｐ２Ｂから第１フィルタＳＡＷ１を見たインピーダンスはオープン状態となる。
【００６１】
第１０スイッチＳＷ１０は、接地点と、第８スイッチＳＷ８および第２フィルタＳＡＷ２の間の第４接続点Ｃ４との間の導通および非導通を切り替えるように構成されている。第１０スイッチＳＷ１０は、第８スイッチＳＷ８が非導通である場合、第２フィルタＳＡＷ２の通過帯域および第３フィルタＳＡＷ３の通過帯域の両方に含まれる周波数の信号に対して導通とされるように構成されている。
【００６２】
第１１スイッチＳＷ１１は、接地点と、第９スイッチＳＷ９および第３フィルタＳＡＷ３の間の第５接続点Ｃ５との間の導通および非導通を切り替えるように構成されている。第１１スイッチＳＷ１１は、第９スイッチＳＷ９が非導通である場合、第２フィルタＳＡＷ２の通過帯域および第３フィルタＳＡＷ３の通過帯域の両方に含まれる周波数の信号に対して導通とされるように構成されている。
【００６３】
以上、実施の形態１の変形例２によっても、スイッチモジュール１Ｂの挿入損失を低減することができる。
【００６４】
［実施の形態２］
実施の形態１においては、共通端子Ｐ１から各入出力端子までのインピーダンスをオープン状態とするために、シャント接続スイッチを備えず、スイッチからＳＡＷフィルタまでの接続経路が接地点と接続されていない場合について説明した。共通端子Ｐ１から各入出力端子までのインピーダンスをオープン状態とする方法は、シャント接続スイッチを備えないことに限定されない。スイッチからＳＡＷフィルタまでの接続経路が接地点と導通されなければどのような方法でもよい。実施の形態２においては、シャント接続スイッチを備えながら、スイッチの導通および非導通によらずシャント接続スイッチを非導通と制御することにより、スイッチからＳＡＷフィルタまでの接続経路が接地点に導通されない場合について説明する。実施の形態２において実施の形態１と同じ参照符号が付されている構成については同様の構成であるため説明を繰り返さない。
【００６５】
図１０は、実施の形態２に係るスイッチモジュール２の回路図である。図１０に示されるように、スイッチモジュール２は、シャント接続スイッチとして第４スイッチＳＷ４と第６スイッチＳＷ６とを備える。
【００６６】
第４スイッチＳＷ４は、接地点と、第２スイッチＳＷ２および第２フィルタＳＡＷ２の間の第１接続点Ｃ１との間の導通および非導通を切り替えるように構成されている。第４スイッチＳＷ４は第２スイッチＳＷ２が導通である場合も非導通である場合も非導通であるように構成される。
【００６７】
第６スイッチＳＷ６は、接地点と、第１スイッチＳＷ１および第１フィルタＳＡＷ１の間の第３接続点Ｃ３との間の導通および非導通を切り替えるように構成されている。第６スイッチＳＷ６は第１スイッチＳＷ１が導通である場合も非導通である場合も非導通であるように構成される。
【００６８】
以上、実施の形態２に係るスイッチモジュール２によれば、第１スイッチＳＷ１の第１フィルタＳＡＷ１と接続されている端部から第１フィルタＳＡＷ１を見たときのインピーダンスがショート状態とならないようにスイッチの導通および非導通に関わらずシャント接続スイッチを非導通とすることにより、共通端子Ｐ１からスイッチが非導通である入出力端子までの信号経路のインピーダンスがショート状態とならずにオープン状態となる。その結果、実施の形態１と同様にスイッチモジュール２の挿入損失を低減することができる。
【００６９】
［実施の形態２の変形例１］
実施の形態２についても、実施の形態１と同様にスイッチモジュールに含まれる２つのフィルタの通過帯域が重複している場合の変形例１に係るスイッチモジュール２Ａ（図１１）を示すことができる。実施の形態１の変形例１と実施の形態２の変形例１との違いは、接地点と、第１スイッチＳＷ１と第１フィルタＳＡＷ１との間の第３接続点Ｃ３との間に実施の形態２において既に説明した第６スイッチＳＷ６が接続されている点である。それ以外の構成については実施の形態１の変形例１と同様であるため説明を繰り返さない。
【００７０】
実施の形態２の変形例１によっても実施の形態１の変形例１と同様にスイッチモジュール２Ａの挿入損失を低減することができる。
【００７１】
［実施の形態２の変形例２］
実施の形態２についても、実施の形態１と同様に共通端子を２つ備える変形例２に係るスイッチモジュール２Ｂ（図１２）を示すことができる。実施の形態１の変形例２と実施の形態２の変形例２との違いは、第１スイッチＳＷ１と第１フィルタＳＡＷ１との間の第３接続点Ｃ３との間に第６スイッチＳＷ６が接続されている点、および第７スイッチＳＷ７と第１フィルタＳＡＷ１との間の第６接続点Ｃ６との間に第１２スイッチＳＷ１２が接続されている点である。それ以外の構成については実施の形態１の変形例２と同様であるため説明を繰り返さない。また、第６スイッチＳＷ６は実施の形態２と同様であるため説明を繰り返さない。
【００７２】
図１２に示されるように、スイッチモジュール２Ｂは、第１２スイッチＳＷ１２を備える。第１２スイッチＳＷ１２は、接地点と、第７スイッチＳＷ７および第１フィルタＳＡＷ１の間の第６接続点Ｃ６との間の導通および非導通を切り替えるように構成されている。第１２スイッチＳＷ１２は第７スイッチＳＷ７が導通である場合も非導通である場合も非導通であるように構成される。第７スイッチＳＷ７の第１フィルタＳＡＷ１と接続されている端部から第１フィルタＳＡＷ１を見たときのインピーダンスはショート状態とならず、共通端子Ｐ２Ｂから第１フィルタＳＡＷ１を見たときのインピーダンスはオープン状態となる。
【００７３】
実施の形態２の変形例２によっても実施の形態１の変形例２と同様にスイッチモジュール２Ｂの挿入損失を低減することができる。
【００７４】
［実施の形態３］
実施の形態１および２おいては、実施の形態に従うＳＰｎＴ型のスイッチモジュールの例としてスＳＰＤＴ型およびＳＰ３Ｔ型のスイッチモジュールについて説明した。本発明が適用できるのはこれらに限定されず、ＳＰｎＴ型のスイッチモジュールについても適用することができる。実施の形態３においては、実施の形態に従うＳＰｎＴ型のスイッチモジュールとしてＳＰ６Ｔ型のスイッチモジュールについて説明する。
【００７５】
図１３は、実施の形態３に係るスイッチモジュール３の回路図である。図１３に示されるように、スイッチモジュール３は、共通端子Ｐ１、第１スイッチＳＷ１、第２スイッチＳＷ２、第３スイッチＳＷ３、入出力端子Ｐ１２、Ｐ１３、Ｐ２２、Ｐ２３、Ｐ３２、Ｐ３３、およびデュプレクサＤＵＰ１〜ＤＵＰ３を備える。
【００７６】
第１スイッチＳＷ１はデュプレクサＤＵＰ１と共通端子Ｐ１との間の導通および非導通を切り替えるように構成されている。第２スイッチＳＷ２はデュプレクサＤＵＰ２と共通端子Ｐ１との間の導通および非導通を切り替えるように構成されている。第３スイッチＳＷ３はデュプレクサＤＵＰ３と共通端子Ｐ１との間の導通および非導通を切り替えるように構成されている。
【００７７】
デュプレクサＤＵＰ１は送信回路Ｔｘ１および受信回路Ｒｘ１を含む。送信回路Ｔｘ１は共通端子Ｐ１と入出力端子Ｐ１２との間に接続されている。送信回路Ｔｘ１はＳＡＷフィルタ（不図示）を含む。受信回路Ｒｘ１は共通端子Ｐ１と入出力端子Ｐ１３との間に接続されている。受信回路Ｒｘ１はＳＡＷフィルタ（不図示）を含む。
【００７８】
デュプレクサＤＵＰ２は送信回路Ｔｘ２および受信回路Ｒｘ２を含む。送信回路Ｔｘ２は共通端子Ｐ１と入出力端子Ｐ２２との間に接続されている。送信回路Ｔｘ２はＳＡＷフィルタ（不図示）を含む。受信回路Ｒｘ２は共通端子Ｐ１と入出力端子Ｐ２３との間に接続されている。受信回路Ｒｘ２はＳＡＷフィルタ（不図示）を含む。
【００７９】
デュプレクサＤＵＰ３は送信回路Ｔｘ３および受信回路Ｒｘ３を含む。送信回路Ｔｘ３は共通端子Ｐ１と入出力端子Ｐ３２との間に接続されている。送信回路Ｔｘ３はＳＡＷフィルタ（不図示）を含む。受信回路Ｒｘ３は共通端子Ｐ１と入出力端子Ｐ３３との間に接続されている。受信回路Ｒｘ３はＳＡＷフィルタ（不図示）を含む。
【００８０】
共通端子Ｐ１、入出力端子Ｐ１２、Ｐ２２、Ｐ３２、第１スイッチＳＷ１、第２スイッチＳＷ２、第３スイッチＳＷ３、送信回路Ｔｘ１、送信回路Ｔｘ２、および送信回路Ｔｘ３は、実施の形態に従うＳＰ３Ｔ型のスイッチモジュールを構成する。
【００８１】
共通端子Ｐ１、入出力端子Ｐ１３、Ｐ２３、Ｐ３３、第１スイッチＳＷ１、第２スイッチＳＷ２、第３スイッチＳＷ３、受信回路Ｒｘ１、受信回路Ｒｘ２、および受信回路Ｒｘ３は、実施の形態に従うＳＰ３Ｔ型のスイッチモジュールを構成する。
【００８２】
スイッチモジュール３は、実施の形態に従うＳＰ３Ｔ型のスイッチモジュールを２つ含む。
【００８３】
実施の形態３においては、共通端子Ｐ１にはアンテナＡＮＴが接続される。入出力端子Ｐ１２、Ｐ２２、およびＰ３２には電力増幅器ＰＡ（Power  Amplifier）が接続される。入出力端子Ｐ１３、Ｐ２３、およびＰ３３には低雑音増幅器ＬＮＡ（Low  Noise  Amplifier）が接続される。図１３に示されている回路図は、たとえばスマートフォンのような携帯端末の送受信回路に相当する。
【００８４】
デュプレクサＤＵＰ１〜ＤＵＰ３は、トリプレクサとしてもよい。この場合、実施の形態３に従うスイッチモジュールは３つのＳＰ３Ｔのスイッチモジュールを含むことになり、ＳＰ９Ｔ型のスイッチモジュールとなる。
【００８５】
以上、実施の形態３によっても、実施の形態１および２と同様に、スイッチモジュール３の挿入損失を低減することができる。
【００８６】
今回開示された各実施の形態は、矛盾しない範囲で適宜組み合わせて実施することも予定されている。今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１，１Ａ，１Ｂ，２，２Ａ，２Ｂ，３，１００，２００  スイッチモジュール、ＡＮＴ  アンテナ、ＤＵＰ１，ＤＵＰ２，ＤＵＰ３  デュプレクサ、ＬＮＡ  低雑音増幅器、Ｐ１，Ｐ２Ｂ  共通端子、Ｐ２，Ｐ３，Ｐ４，Ｐ６，Ｐ７，Ｐ１２，Ｐ１３，Ｐ２２，Ｐ２３，Ｐ３２，Ｐ３３  入出力端子、ＰＡ  電力増幅器、Ｒｘ１，Ｒｘ２，Ｒｘ３  受信回路、ＳＡＷ１，ＦＬＴ１  第１フィルタ、ＳＡＷ２，ＦＬＴ２  第２フィルタ、ＳＡＷ３  第３フィルタ、ＳＷ１  第１スイッチ、ＳＷ２  第２スイッチ、ＳＷ３  第３スイッチ、ＳＷ４  第４スイッチ、ＳＷ５  第５スイッチ、ＳＷ６  第６スイッチ、ＳＷ７  第７スイッチ、ＳＷ８  第８スイッチ、ＳＷ９  第９スイッチ、ＳＷ１０  第１０スイッチ、ＳＷ１１  第１１スイッチ、ＳＷ１２  第１２スイッチ、Ｔｘ１，Ｔｘ２，Ｔｘ３  送信回路。
【図１】
0006790447.tif 000002
【図２】
0006790447.tif 000003
【図３】
0006790447.tif 000004
【図４】
0006790447.tif 000005
【図５】
0006790447.tif 000006
【図６】
0006790447.tif 000007
【図７】
0006790447.tif 000008
【図８】
0006790447.tif 000009
【図９】
0006790447.tif 000010
【図１０】
0006790447.tif 000011
【図１１】
0006790447.tif 000012
【図１２】
0006790447.tif 000013
【図１３】
0006790447.tif 000014
【図１４】
0006790447.tif 000015